(57)【要約】【課題】スペースを取ることなく、盗難防止用のセキュリティー機能を付加できるリール及び記録テープカートリッジの提供を課題とする。【解決手段】外周面に記録テープＴが巻回される円筒状のハブ２２と、ハブ２２の内周面に略沿って１周以上巻かれた状態で設けられた大バルクハウゼン効果を備えたアモルファス磁性ワイヤー１００と、アモルファス磁性ワイヤー１００をハブ２２内から抜け落ち防止とする抜け止め部材２５と、を有するリール２０と、それを備えた記録テープカートリッジ１０とする。【選択図】図４
2010211868.tif 000002
【特許請求の範囲】
【請求項１】
外周面に記録テープが巻回される円筒状のハブと、
前記ハブの内周面に略沿って１周以上巻かれた状態で設けられた大バルクハウゼン効果を備えたアモルファス磁性ワイヤーと、
前記アモルファス磁性ワイヤーを前記ハブ内から抜け落ち防止とする抜け止め部材と、
を有することを特徴とするリール。
【請求項２】
前記抜け止め部材は、前記ハブの端部に設けられるフランジの一部で構成されていることを特徴とする請求項１に記載のリール。
【請求項３】
外周面に記録テープが巻回される円筒状のハブと、
前記ハブの内周面に略沿って該ハブ内に挿入される鍔部を備え、該ハブの端部に溶着されるフランジと、
前記鍔部の外周面に１周以上巻かれ、該鍔部の外周面と前記ハブの内周面との間で狭持される大バルクハウゼン効果を備えたアモルファス磁性ワイヤーと、
を有することを特徴とするリール。
【請求項４】
外周面に記録テープが巻回される有底円筒状のハブと、
前記ハブの底部に形成された溝部又は孔部に嵌挿されるボス部を備え、該ハブの端部に溶着されるフランジと、
前記ボス部の外周面に１周以上巻かれ、該ボス部の外周面と前記溝部又は前記孔部を構成する内周面との間で狭持される大バルクハウゼン効果を備えたアモルファス磁性ワイヤーと、
を有することを特徴とするリール。
【請求項５】
円筒状のハブの端部に該ハブの径方向外側へ延在するように設けられたフランジを備え、前記ハブの外周面に記録テープが巻回されたリールと、
前記リールを単一で収容するケースと、
前記ハブの内周面に略沿って１周以上巻かれた状態で設けられた大バルクハウゼン効果を備えたアモルファス磁性ワイヤーと、
前記アモルファス磁性ワイヤーを前記ハブ内から抜け落ち防止とする抜け止め部材と、
を有することを特徴とする記録テープカートリッジ。
【請求項６】
前記抜け止め部材は、前記フランジの一部で構成されていることを特徴とする請求項５に記載の記録テープカートリッジ。
【請求項７】
前記抜け止め部材は、不使用時に前記リールの軸方向の移動を阻止するために、前記フランジと前記ケースとの間に、前記ハブの径方向内側から挿入されるロック部材の一部で構成されていることを特徴とする請求項５に記載の記録テープカートリッジ。
【発明の詳細な説明】
【技術分野】
【０００１】
本発明は、主にコンピューター等の記録再生媒体として使用される磁気テープ等の記録テープが巻装されたリールと、そのリールを単一で備えた記録テープカートリッジに関する。
【背景技術】
【０００２】
従来から、磁気テープ等の記録テープをリールに巻装し、そのリールをケース内に単一で収容してなる記録テープカートリッジが知られている。この記録テープカートリッジは、コンピューター等のデータ記録再生媒体（データバックアップ）として使用されることが多いため、盗難防止用のセキュリティー対策が施されることがある。
【０００３】
例えば、記録テープカートリッジのケース内にセキュリティータグを設け、所定のセキュリティーエリアから記録テープカートリッジが搬出されると、そのセキュリティーエリアの出入口に設けられたゲート等から警報音が発生して、記録テープカートリッジの盗難を防止するシステムが、従来に提案されている（例えば、特許文献１参照）。
【先行技術文献】
【特許文献】
【０００４】
【特許文献１】特開２００４−１２７３４９号公報
【発明の概要】
【発明が解決しようとする課題】
【０００５】
しかしながら、記録テープカートリッジにセキュリティータグを設ける構成であると、記録テープカートリッジのケース内では、セキュリティータグを設ける部位の自由度が少ないため、指向性の高いセキュリティータグでは使用することが困難となる問題がある。換言すれば、記録テープカートリッジのケース内におけるスペースは限られているため、セキュリティータグの形状や配設向き等に制約を受ける問題がある。
【０００６】
そこで、本発明は、上記事情に鑑み、スペースを取ることなく、盗難防止用のセキュリティー機能を付加できるリール及び記録テープカートリッジを得ることを目的とする。
【課題を解決するための手段】
【０００７】
上記の目的を達成するために、本発明に係る請求項１に記載のリールは、外周面に記録テープが巻回される円筒状のハブと、前記ハブの内周面に略沿って１周以上巻かれた状態で設けられた大バルクハウゼン効果を備えたアモルファス磁性ワイヤーと、前記アモルファス磁性ワイヤーを前記ハブ内から抜け落ち防止とする抜け止め部材と、を有することを特徴としている。
【０００８】
請求項１に記載の発明によれば、ハブの内周面に略沿って１周以上巻かれた大バルクハウゼン効果を備えたアモルファス磁性ワイヤーによって、セキュリティー機能が付加されるため、それを設けるためのスペースが取られることがない。しかも、そのアモルファス磁性ワイヤーは１周以上巻かれているので、指向性が低く、かつハブ内から抜け落ち防止とされているので、リールが所定のセキュリティーエリアから搬出されたときには確実に検知される。
【０００９】
また、請求項２に記載のリールは、請求項１に記載のリールにおいて、前記抜け止め部材が、前記ハブの端部に設けられるフランジの一部で構成されていることを特徴としている。
【００１０】
請求項２に記載の発明によれば、リールにおいて既存の部材であるフランジの一部を抜け止め部材として利用するため、部品点数が増えることがなく、そのためのスペースが取れられることもない。
【００１１】
また、本発明に係る請求項３に記載のリールは、外周面に記録テープが巻回される円筒状のハブと、前記ハブの内周面に略沿って該ハブ内に挿入される鍔部を備え、該ハブの端部に溶着されるフランジと、前記鍔部の外周面に１周以上巻かれ、該鍔部の外周面と前記ハブの内周面との間で狭持される大バルクハウゼン効果を備えたアモルファス磁性ワイヤーと、を有することを特徴としている。
【００１２】
請求項３に記載の発明によれば、ハブ内に挿入される鍔部の外周面に１周以上巻かれた大バルクハウゼン効果を備えたアモルファス磁性ワイヤーによって、セキュリティー機能が付加されるため、それを設けるためのスペースが取られることがない。しかも、そのアモルファス磁性ワイヤーは１周以上巻かれているので、指向性が低く、かつ鍔部の外周面とハブの内周面との間で狭持されて抜け落ち防止とされているので、リールが所定のセキュリティーエリアから搬出されたときには確実に検知される。
【００１３】
また、本発明に係る請求項４に記載のリールは、外周面に記録テープが巻回される有底円筒状のハブと、前記ハブの底部に形成された溝部又は孔部に嵌挿されるボス部を備え、該ハブの端部に溶着されるフランジと、前記ボス部の外周面に１周以上巻かれ、該ボス部の外周面と前記溝部又は前記孔部を構成する内周面との間で狭持される大バルクハウゼン効果を備えたアモルファス磁性ワイヤーと、を有することを特徴としている。
【００１４】
請求項４に記載の発明によれば、ハブの底部に形成された溝部又は孔部に嵌挿されるボス部の外周面に１周以上巻かれた大バルクハウゼン効果を備えたアモルファス磁性ワイヤーによって、セキュリティー機能が付加されるため、それを設けるためのスペースが取られることがない。しかも、そのアモルファス磁性ワイヤーは１周以上巻かれているので、指向性が低く、かつボス部の外周面と溝部又は孔部を構成する内周面との間で狭持されて抜け落ち防止とされているので、リールが所定のセキュリティーエリアから搬出されたときには確実に検知される。
【００１５】
また、本発明に係る請求項５に記載の記録テープカートリッジは、円筒状のハブの端部に該ハブの径方向外側へ延在するように設けられたフランジを備え、前記ハブの外周面に記録テープが巻回されたリールと、前記リールを単一で収容するケースと、前記ハブの内周面に略沿って１周以上巻かれた状態で設けられた大バルクハウゼン効果を備えたアモルファス磁性ワイヤーと、前記アモルファス磁性ワイヤーを前記ハブ内から抜け落ち防止とする抜け止め部材と、を有することを特徴としている。
【００１６】
請求項５に記載の発明によれば、ハブの内周面に略沿って１周以上巻かれた大バルクハウゼン効果を備えたアモルファス磁性ワイヤーによって、セキュリティー機能が付加されるため、それを設けるためのスペースが取られることがない。しかも、そのアモルファス磁性ワイヤーは１周以上巻かれているので、指向性が低く、かつハブ内から抜け落ち防止とされているので、記録テープカートリッジが所定のセキュリティーエリアから搬出されたときには確実に検知される。
【００１７】
また、請求項６に記載の記録テープカートリッジは、請求項５に記載の記録テープカートリッジにおいて、前記抜け止め部材が、前記フランジの一部で構成されていることを特徴としている。
【００１８】
請求項６に記載の発明によれば、リールにおいて既存の部材であるフランジの一部を抜け止め部材として利用するため、部品点数が増えることがなく、そのためのスペースが取れられることもない。
【００１９】
また、請求項７に記載の記録テープカートリッジは、請求項５に記載の記録テープカートリッジにおいて、前記抜け止め部材が、不使用時に前記リールの軸方向の移動を阻止するために、前記フランジと前記ケースとの間に、前記ハブの径方向内側から挿入されるロック部材の一部で構成されていることを特徴としている。
【００２０】
請求項７に記載の発明によれば、記録テープカートリッジにおいて既存の部材であるロック部材の一部を抜け止め部材として利用するため、部品点数が増えることがなく、そのためのスペースが取れられることもない。
【発明の効果】
【００２１】
以上のように、本発明によれば、スペースを取ることなく、盗難防止用のセキュリティー機能を付加できるリール及び記録テープカートリッジを提供することができる。
【図面の簡単な説明】
【００２２】
【図１】記録テープカートリッジの概略斜視図
【図２】第１実施例に係る記録テープカートリッジを上方から見た場合の概略分解斜視図
【図３】第１実施例に係る記録テープカートリッジを下方から見た場合の概略分解斜視図
【図４】第１実施例に係る記録テープカートリッジの概略側断面図
【図５】第１実施例に係るリールのハブの内周面に設けられたアモルファス磁性ワイヤーを示す概略側断面図
【図６】第２実施例に係るリールの上フランジに突設された円筒部（鍔部）の外周面に設けられたアモルファス磁性ワイヤーを示す概略分解側断面図
【図７】第２実施例に係るリールの上フランジに突設された円筒部（鍔部）の外周面とハブの内周面との間に狭持されたアモルファス磁性ワイヤーを示す概略側断面図
【図８】第３実施例に係る記録テープカートリッジの概略側断面図
【図９】第３実施例に係る記録テープカートリッジの上ケース側の構成を示す概略分解斜視図
【図１０】第３実施例に係る記録テープカートリッジの上ケース側の構成を示す概略斜視図
【図１１】ドライブ装置に装填されていないときの第３実施例に係るリールのハブの内周面に設けられたアモルファス磁性ワイヤーを示す概略側断面図
【図１２】ドライブ装置に装填されているときの第３実施例に係るリールのハブの内周面に設けられたアモルファス磁性ワイヤーを示す概略側断面図
【図１３】第４実施例に係るリールの下フランジに突設された円筒部（ボス部）の外周面とハブの底部に形成された溝部の内周面との間に狭持されたアモルファス磁性ワイヤーを示す概略側断面図
【図１４】第５実施例に係るリールの下フランジに突設された円筒部（ボス部）の外周面とハブの底部に形成された孔部を構成する内周面との間に狭持されたアモルファス磁性ワイヤーを示す概略側断面図
【発明を実施するための形態】
【００２３】
以下、本発明の実施の形態について、図面に示す実施例を基に詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。また、矢印Ａ方向及び矢印Ｂ方向と直交する方向を矢印Ｃで示し、それを記録テープカートリッジ１０の上方向（上側）とする。まず最初に、記録テープカートリッジ１０の概略構成について説明する。
【００２４】
図１〜図４で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やビス止め等によって接合されて構成されている。
【００２５】
すなわち、例えば上ケース１４及び下ケース１６には、ビスボス１５がそれぞれ各コーナー部近傍に形成されており、下ケース１６の下面側から、そのビスボス１５に図示しないビスが螺合されることにより、ケース１２が組み立てられるようになっている。そして、ケース１２の内部には、リール２０が１つだけ回転可能に収容されている。
【００２６】
このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００２７】
なお、上フランジ２４は環状とされ、その径方向内側縁部（以下「内周縁部」という）には、下方に向けて鍔部としての円筒部２５が所定高さで突設されている。そして、この円筒部２５は、その外周面をリールハブ２２の内周面に近接させた状態で（略沿って）、リールハブ２２の内側に挿入され、円筒部２５よりも径方向外側における上フランジ２４の内周縁部近傍が、リールハブ２２の上端面に超音波溶着されている。
【００２８】
また、リールハブ２２の底壁（底部）２８の下面（外面）には、リールギア４４が環状に形成されており、下ケース１６の中央部には、そのリールギア４４を外部に露出するためのギア開口４０が穿設されている。このギア開口４０から露出されるリールギア４４が、ドライブ装置の回転シャフト（図示省略）に形成された駆動ギア（図示省略）に噛合されて回転駆動されることにより、ケース１２内において、リール２０がケース１２に対して相対回転可能とされている。
【００２９】
また、底壁２８の下面におけるリールギア４４の径方向内側には、磁性材料でできた環状金属板であるリールプレート４６が、インサート成形により、同軸的かつ一体的に固着されており、ドライブ装置の回転シャフトに設けられた環状のマグネット（図示省略）の磁力によって吸着・保持されるようになっている。更に、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００３０】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。リーダーピン３０の記録テープＴの幅方向端部より突出した両端部には、環状溝３２が形成されており、この環状溝３２が引出部材のフック等に係止されるようになっている。
【００３１】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００３２】
また、ピン保持部３６の近傍には、板バネ３８が固定配置されるようになっており、この板バネ３８の二股状の先端部がリーダーピン３０の上下両端部３４にそれぞれ係合してリーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００３３】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００３４】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００３５】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００３６】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００３７】
また、図２、図３で示すように、ケース１２の左後部には、記録テープＴへの記録可・不可が設定されるライトプロテクト７０が左右方向にスライド可能に設けられており、ケース１２の後壁１２Ｄには、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００３８】
また更に、下ケース１６の底板１６Ａには、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようになっている。なお、この突部７４は下ケース１６の底板１６Ａの下面から突出することはない。また、図２で示すように、ケース１２の右後部には、記録容量、記録形式等の各種情報が記憶されたメモリーボードＭが所定の傾斜角度で配置されるようになっている。
【００３９】
また、図２、図３で示すように、リールハブ２２の底壁２８の上面周縁には、係合ギア４８が所定の間隙を隔てて（等間隔に）複数（例えば１２０度間隔で３個）立設されており、その係合ギア４８の間で、リールギア４４上となる所定位置には、貫通孔２８Ａが複数（この場合は１２０度間隔で３個）穿設されている。そして、そのリールハブ２２の内部には、樹脂材で成形された円板状の制動部材８０が挿設される。
【００４０】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００４１】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００４２】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００４３】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００４４】
また、解除部材９０の上面９０Ａ中央には平面状の支持凸部９６が形成されており、制動部材８０の下面８０Ａ中央に突設された略半球状の解除突起８２が当接するようになっている（図２、図３参照）。これにより、制動部材８０と解除部材９０との接触面積が低減され、使用時（リール２０の回転時）における摺動抵抗が軽減される構成である。
【００４５】
以上のような構成の記録テープカートリッジ１０において、次にその記録テープカートリッジ１０（リール２０）に付加されたセキュリティー機能について説明する。つまり、所定のセキュリティーエリアから記録テープカートリッジ１０（リール２０）が搬出されるのを防止するために、その記録テープカートリッジ１０（リール２０）に設けられたアモルファス磁性ワイヤー１００の第１実施例について説明する。
【００４６】
アモルファス磁性ワイヤー１００は、例えば直径が３０μｍとされた公知のワイヤーであり、低強度の振動磁界に反応して、磁化反転を繰り返す性質（大バルクハウゼン効果）を有している。したがって、その大バルクハウゼン効果によって発生した磁場の変化を検知することで、所定のセキュリティーエリアから記録テープカートリッジ１０（リール２０）が搬出されることを報知できるようになっている。
【００４７】
より具体的に説明すると、図４、図５で示すように、リール２０のリールハブ２２の内周面には、アモルファス磁性ワイヤー１００が１周以上、望ましくは螺旋状（コイル状）に巻かれた状態で設けられている。すなわち、例えば図示しない芯部材に、アモルファス磁性ワイヤー１００を１周以上互いの間隔が所定値以下となるように螺旋状に巻き付け、糊等の接着剤を吹き付けて、その形状が崩れないように固め、その後、その芯部材を抜き取ってできたコイル状のアモルファス磁性ワイヤー１００が、リールハブ２２の内周面に略沿うように挿設されている。
【００４８】
したがって、所定のセキュリティーエリアの出入口に、例えば励磁コイルを備えたゲート（図示省略）が対向配置され、その励磁コイルから、所定のレベル以上の振幅を持つ振動磁界が印加されていると、そのゲートを記録テープカートリッジ１０（リール２０）が通過したときには、リール２０（リールハブ２２）に設けられたアモルファス磁性ワイヤー１００において磁化反転が周期的に起こり、その磁化反転に伴う電気的パルスが、対向配置されている励磁コイルで検知される（大バルクハウゼン効果が検知される）。
【００４９】
よって、この検知により、そのゲートから警報音等が発生するようなシステムとすれば、記録テープカートリッジ１０（リール２０）の盗難や不用意な持ち出しを心理的に防止することができる。なお、このコイル状に固められたアモルファス磁性ワイヤー１００は、上フランジ２４の内周縁部に突設された円筒部２５により、リールハブ２２内から、その軸方向に抜け落ちないように抜け止めされるようになっている。
【００５０】
つまり、このコイル状アモルファス磁性ワイヤー１００は、リールハブ２２の上端部に上フランジ２４が溶着される前にリールハブ２２内に装着（挿入）され、その後、上フランジ２４がリールハブ２２の上端部に溶着されることで抜け落ち防止とされている。したがって、このコイル状アモルファス磁性ワイヤー１００の高さは、円筒部２５の下端面よりも低くなるような高さに形成されている。
【００５１】
なお、このとき、コイル状アモルファス磁性ワイヤー１００の上端面に円筒部２５の下端面が略接するような構成（高さ）にしてもよい。このような構成（高さ）にすれば、円筒部２５の下側に配置されるコイル状アモルファス磁性ワイヤー１００が、その円筒部２５によって、リールハブ２２内において上下動することなく保持されるようになる。
【００５２】
ここで、図示のリール２０は、リールハブ２２と下フランジ２６とが一体とされ、上フランジ２４のみがリールハブ２２に溶着される所謂２ピース構造とされている。そのため、リールハブ２２の下端部は初めから閉塞されており、コイル状アモルファス磁性ワイヤー１００はリールハブ２２の下側から抜け落ちることはない。よって、この場合には、上フランジ２４の一部である円筒部２５のみが、コイル状アモルファス磁性ワイヤー１００の抜け止め部材となる。
【００５３】
なお、参考までに説明すると、リール２０が、リールハブ２２に、それぞれ上フランジ２４及び下フランジ２６が溶着される所謂３ピース構造とされている場合には、その下フランジ２６も抜け止め部材となる。また、コイル状アモルファス磁性ワイヤー１００をリールハブ２２内から抜け落ちないようにするために、別途リールハブ２２の内周面に、そのリールハブ２２の補強を兼ねるようなリング状部材（図示省略）等を設ける構成としてもよい。
【００５４】
但し、上フランジ２４の円筒部２５や下フランジ２６をコイル状アモルファス磁性ワイヤー１００の抜け止め部材とした方が、部品点数が増加しないので、製造コストが増加しないメリットがある。また、アモルファス磁性ワイヤー１００をコイル状に形成するための手段は、上記したような糊等の接着剤で固める手段に限定されるものではない。
【００５５】
例えば紙やフィルムなどの薄い筒状部材（図示省略）に、アモルファス磁性ワイヤー１００を１周以上の螺旋状に巻き付けるとともに、糊等の接着剤を吹き付けて固着し、その筒状部材ごと、リールハブ２２の内側に挿設する構成としてもよい。更に、このアモルファス磁性ワイヤー１００を、リールハブ２２の内周面に、糊等の接着剤によって、直接１周以上の螺旋状に貼り付けることで設ける構成としてもよい。
【００５６】
しかしながら、アモルファス磁性ワイヤー１００は、リールハブ２２の内周面に直接貼り付けるよりも、上フランジ２４をリールハブ２２に溶着する前に、そのリールハブ２２内に挿入して設ける構成とした方が、生産性が良好となるので好ましい。なお、図示のアモルファス磁性ワイヤー１００は、理解し易くするために、太さや間隔を誇張して描いているが、実際には、上記したように、直径３０μｍで、糊等の接着剤で固めることができる程度に、互いの間隔が所定値以下とされたコイル状に形成されている。
【００５７】
また、アモルファス磁性ワイヤー１００は、その配設長さが長ければ長いほど、感度が良好となることが知られている。したがって、上記したように、リールハブ２２の内周面に略沿って１周以上巻かれた構成にすることが望ましい。具体的には、１００ｍｍ以上巻くことが望ましく、そのコイル直径は１０ｍｍ以上とされることが望ましい。ちなみに、アモルファス磁性ワイヤー１００をリールハブ２２の内周面に略沿って１周以上巻回すると、その長さは１００ｍｍ以上となり、そのコイル直径も１０ｍｍ以上となる。
【００５８】
また、このとき、そのアモルファス磁性ワイヤー１００を螺旋状に巻くことが望ましい。これにより、アモルファス磁性ワイヤー１００を３次元方向（互いに直交する３方向）に延在させることができるので、その指向性を低くすることができる。つまり、記録テープカートリッジ１０（リール２０）を、どのような姿勢で持っていても、ゲートを通過したときには、大バルクハウゼン効果が検知され、警報音が発生するようにできる。
【００５９】
以上のような構成の記録テープカートリッジ１０において、次にその作用について説明する。不使用時（保管時や運搬時等）において、記録テープカートリッジ１０の開口１８は、ドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００６０】
一方、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００６１】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に正確に位置決めされ、ドア５０のそれ以上の摺動（後方への移動）が規制される。
【００６２】
また、この記録テープカートリッジ１０の下降動作によって、回転シャフトが相対的にギア開口４０から進入し、駆動ギアをリールギア４４に噛合させる。すると、その駆動ギアがリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００６３】
そして、駆動ギアとリールギア４４とが完全に噛合した状態で、リールプレート４６が、駆動ギアの径方向内側に設けられた環状のマグネットの磁力によって吸着・保持されることにより、リール２０は、駆動ギアに対するリールギア４４の噛合が維持されつつ、ケース１２内で、そのケース１２に対して相対回転可能となるロック解除状態とされる。
【００６４】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において正確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００６５】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００６６】
情報の記録や再生が終了した記録テープカートリッジ１０をドライブ装置から排出する際には、まず、回転シャフトが逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフトがギア開口４０から抜き出され、リールギア４４に対する駆動ギアの噛合が解除される。
【００６７】
すると、圧縮コイルスプリング９８の付勢力により、制動部材８０及び解除部材９０が下方に向かって押圧され、脚部９４が貫通孔２８Ａに挿通されて底壁２８の下面からリールギア４４上に所定高さ突出するとともに、制動ギア８４が係合ギア４８に噛合する。これにより、リール２０は、再度ケース１２内での相対回転が阻止された回転ロック状態となり、その後、記録テープカートリッジ１０は、図示しないイジェクト機構によって矢印Ａ方向とは反対方向に移動される。
【００６８】
すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００６９】
ここで、そのドライブ装置内から排出された記録テープカートリッジ１０を所定のセキュリティーエリアから搬出した場合には、警報音が発生し、その搬出が防止されるようになっている。すなわち、記録テープカートリッジ１０内に収容されているリール２０（リールハブ２２）にはアモルファス磁性ワイヤー１００が設けられている。より具体的には、１周以上螺旋状に巻かれた状態のコイル状アモルファス磁性ワイヤー１００が、リールハブ２２の内周面に略沿うようにして設けられている。
【００７０】
したがって、例えばセキュリティーエリアの出入口に設けられたゲートを通過すると、そのゲートに設けられた励磁コイルから印加された振動磁界により、アモルファス磁性ワイヤー１００に大バルクハウゼン効果が起き、その大バルクハウゼン効果が、その励磁コイルによって検知される。よって、その検知により、ゲートから警報音が発生し、記録テープカートリッジ１０の盗難や不用意な持ち出しが心理的に防止される。
【００７１】
しかも、このアモルファス磁性ワイヤー１００は、円筒部２５によって、リール２０（リールハブ２２内）から抜け落ち（取り出し）防止状態となっているため、従来技術のセキュリティータグ等のように、そのセキュリティー機能が不正に除去されるおそれはなく、例えば記録テープカートリッジ１０（ケース１２）を分解して、中のリール２０だけを持ち出そうとしても、その持ち出し行為を確実に検知することができる。したがって、特に重要なデータが記録されている記録テープＴを備えたリール２０の盗難を確実に防止することができる。
【００７２】
また、このアモルファス磁性ワイヤー１００は、リールハブ２２の内周面に略沿って設けられているため、そのアモルファス磁性ワイヤー１００を設けるためのスペースが別途取られることがない。そして、そのアモルファス磁性ワイヤー１００は、１周以上の螺旋状に設けられているので、指向性が低い。よって、セキュリティーエリアからの盗難防止用として高性能なセキュリティー機能を、特別にスペースを取ることなく、記録テープカートリッジ１０（リール２０）に付加することができる。
【００７３】
次に、第２実施例について説明する。なお、第１実施例と同等の部位には同じ符号を付して詳細な説明（作用も含む）は省略する。図６で示すように、この第２実施例では、アモルファス磁性ワイヤー１００が、上フランジ２４の円筒部２５の外周面に、１周以上互いの間隔が所定値以下となるように螺旋状（コイル状）に巻かれている。
【００７４】
そして、図７で示すように、上フランジ２４の内周縁部近傍をリールハブ２２の上端面に超音波溶着したときには、その円筒部２５の外周面とリールハブ２２の内周面との間で、アモルファス磁性ワイヤー１００が狭持されるようになっている。したがって、この場合も、上記第１実施例と同様に、所定のセキュリティーエリアからの記録テープカートリッジ１０（リール２０）の盗難や不用意な持ち出しを心理的に防止することができる。
【００７５】
なお、この第２実施例においては、アモルファス磁性ワイヤー１００を円筒部２５の外周面に直接巻き付けているため、上記第１実施例で使用した糊等の接着剤や筒状部材等が不要となるメリットがある。しかも、このアモルファス磁性ワイヤー１００は、円筒部２５の外周面とリールハブ２２の内周面との間で狭持されて抜け落ち防止とされているため、上記第１実施例のような抜け止め部材も不要となるメリットがある。つまり、この第２実施例の構成の方が、第１実施例の構成よりも製造コストが低減されるメリットがある。
【００７６】
次に、第３実施例について説明する。なお、第１実施例と同等の部位には同じ符号を付して詳細な説明（作用も含む）は省略する。図８で示すように、この第３実施例では、有底円筒状のリールハブ１２２と、リールハブ１２２の上端部に径方向外側へ延在するように一体に設けられた上フランジ１２４と、リールハブ１２２の下端部に超音波溶着によって取り付けられた環状の下フランジ１２６とで、リール１２０が構成されている。
【００７７】
そして、リールハブ１２２の底壁（底部）１２８の下面側には、リールギア１４４が環状に形成されており、そのリールギア１４４の径方向内側には、磁性材料でできた環状金属板であるリールプレート１４６が、インサート成形により、同軸的かつ一体的に固着されている。また、リールハブ１２２の底壁１２８の上面側には、係合ギア１４８が環状に形成されており、制動部材１３０の制動ギア１３２と噛合可能になっている。
【００７８】
図９で示すように、この制動部材１３０は、リールハブ１２２内に上下動可能に（リール１２０の軸方向に移動可能に）収容される円板状に形成され、その下面外周部には制動ギア１３２が環状に設けられている。そして、制動部材１３０の上面には、上ケース１４のガイド壁部１６８（後述）間に挿入される複数（本実施例では３つ）の板状のガイド部１３４と、複数（本実施例では３つ）のロック部材１５０（後述）のカム部１５４とそれぞれ係合する同数（３つ）の略角柱状の係合突起１３６が、それぞれ等間隔に、かつ交互に立設されている。
【００７９】
この係合突起１３６は、径方向内側が４５度傾斜したテーパー面１３６Ａとされており、そのテーパー面１３６Ａが、ロック部材１５０のカム部１５４に形成されたテーパー面１５４Ａと係合するようになっている。また、制動部材１３０の上面で、ガイド部１３４及び係合突起１３６の外側には、付勢部材としての圧縮コイルスプリング９８の下端が当接する平坦面１３０Ａが環状に形成されている。
【００８０】
更に、制動部材１３０の下面中央には、底壁１２８の中央に形成された貫通孔１２８Ａに挿通可能な略円柱状の操作突起１３８が突設されており、ドライブ装置側の回転シャフトの軸心部に突設された解除突起（図示省略）と当接可能とされている。そして、図９、図１０で示すように、上ケース１４の天板１４Ａ内面の略中央（リールハブ１２２の軸心部上）には、リールハブ１２２の上縁部に、その内周面側（径方向内側）から係合して、リール１２０の軸方向（上下方向）の移動を阻止する複数（３つ）のロック部材１５０等を摺動可能に収容する取付部１６０が形成されている。
【００８１】
この取付部１６０は、平面視同心円状に立設され、外側が内側よりも高い２つの円筒壁１６２、１６４を有している。この円筒壁１６２、１６４は適宜位置（等間隔に３箇所）が切り欠かれており、その切り欠かれた部位の円筒壁１６４の内側には、ガイドリブ１６５が径方向に沿って立設されている。そして、このガイドリブ１６５間で構成された収容部１６３内にロック部材１５０が収容され、径方向に摺動可能とされている。
【００８２】
また、円筒壁１６２、１６４の間には、その円筒壁１６２、１６４同士を連結するように、複数（本実施例では９つ）の板状の支持リブ１６６が径方向に沿って立設されている。そして、各収容部１６３の間で、かつ円筒壁１６４の内側には、制動部材１３０のガイド部１３４が挿入される２枚１組のガイド壁部１６８が、そのガイド部１３４と同数組突設されている。
【００８３】
この２枚１組のガイド壁部１６８は、円筒壁１６４の外周面にその外端面が面一となるように径方向に沿って突設され、各組のガイド壁部１６８において、その突設間隔は、制動部材１３０のガイド部１３４の板厚と同じか、それよりも若干大きくされている。また、円筒壁１６２、１６４の間で、かつ収容部１６３の両側（ガイドリブ１６５の延長線上）には、ロック部材１５０を摺動可能に（微少な隙間を有して）保持する一対の保持部１７０が突設されている。
【００８４】
更に、天板１４Ａ内面の略中央（リールハブ１２２の軸心線上であり、取付部１６０の中心）には、コイルバネ１４２の一端を保持する係止突起１７２が突設されている。コイルバネ１４２は、各ロック部材１５０毎に（この場合は３本）設けられ、各ロック部材１５０が常時取付部１６０の中心（リール１２０の中心）から径方向外側に向かって付勢されるようになっている。
【００８５】
係止突起１７２は、その３本のコイルバネ１４２を１度に保持できるように、略三角柱状に形成されており、その側面における両端部には、全高に亘って、それぞれコイルバネ１４２の一巻を両側から係止して保持できる一対の係止爪１７２Ａが内側に向かって張り出すように形成されている。
【００８６】
また、天板１４Ａにおいて、収容部１６３の延長線上で、かつ円筒壁１６２よりも外側の所定位置には、ロック部材１５０とコイルバネ１４２を組み込むときに、そのコイルバネ１４２で付勢されたロック部材１５０を一時的に仮止めするストッパーリブ１７４が突設されている。したがって、ロック部材１５０は、コイルバネ１４２とストッパーリブ１７４とである程度のテンションが掛けられた状態で保持される。
【００８７】
また、ロック部材１５０を保持部１７０に仮押さえ保持させた後、支持リブ１６６上には、ロック部材１５０が摺動しても外れないように本押さえ保持する脱落防止部材としての樹脂製のリング状止め具１４０が、超音波溶着されるようになっている。この止め具１４０とロック部材１５０との間には、ロック部材１５０が摺動する際に、その妨げとならないように、所定のクリアランスが確保されるようになっており、そのクリアランスが確保されるように、支持リブ１６６の高さが規定されている。
【００８８】
また、この止め具１４０上には、記録テープカートリッジ１０を組み立てたときに、圧縮コイルスプリング９８の上端が当接するようになっており、圧縮コイルスプリング９８は、止め具１４０（上ケース１４）と平坦面１３０Ａ（制動部材１３０）との間で保持されるようになっている。
【００８９】
ロック部材１５０は、収容部１６３内に、径方向に摺動可能となるように、保持部１７０や止め具１４０等により脱落が防止された状態で保持されており、上ケース１４の天板１４Ａ内面に摺接する略角柱状の本体部１５２を有している。そして、この本体部１５２の径方向内側の端部１５２Ｂ近傍に、本体部１５２と同じ幅の略角柱状のカム部１５４が、本体部１５２に対して垂直に（リール１２０の軸方向に）突設されている。
【００９０】
カム部１５４の径方向内側面には、コイルバネ１４２の他端が挿嵌される断面視十字状の嵌入部１５８が径方向内側へ向けて所定長さ突設されている。嵌入部１５８の外径は、コイルバネ１４２の内径よりも若干大きく形成され、コイルバネ１４２が嵌入部１５８から外れないようになっている。また、本体部１５２において、カム部１５４よりも径方向内側の端部１５２Ｂが所定長さ（嵌入部１５８よりも若干長くなるように）径方向内側へ向けて延設されている。
【００９１】
また、カム部１５４の下端面外方側は４５度傾斜したテーパー面（カム面）１５４Ａとされており、制動部材１３０の係合突起１３６のテーパー面１３６Ａと係合するようになっている。そして、このロック部材１５０（本体部１５２）の径方向外側（後述する係合部１５６よりも外側）における端部１５２Ａの厚さＤは、ケース１２内において、リール１２０が最下位置に位置したときの上フランジ１２４上面と天板１４Ａ内面との距離Ｗと略同一に形成されている。
【００９２】
更に、この径方向外側の端部１５２Ａの近傍には、リールハブ１２２の上縁部と係合する所定高さの係合部１５６が、本体部１５２に対して垂直に（リール１２０の軸方向に）突設されている。この係合部１５６は、本体部１５２と同じ幅で、かつカム部１５４よりも低く突設され、その下端面外方側は、所定角度傾斜したテーパー面１５６Ａとされている。そして、そのテーパー面１５６Ａを含む外側面の形状は、平面視でリールハブ１２２の内周面と合致する円弧面とされている。
【００９３】
したがって、ストッパーリブ１７４によって仮止めされたロック部材１５０は、記録テープカートリッジ１０を組み立てるときに（上ケース１４を下ケース１６に被せるときに）、その動作に伴って、係合部１５６がリールハブ１２２の上縁部に係合し易い（係合部１５６のテーパー面１５６Ａを除く外側面が、リールハブ１２２の内周面に圧接する）構成であり、係合後は、本体部１５２の径方向外側の端部１５２Ａが、ストッパーリブ１７４から離隔するようになっている。
【００９４】
このような構成によれば、記録テープカートリッジ１０の不使用時には、制動部材１３０は圧縮コイルスプリング９８の付勢力によって下方へ付勢され、ロック部材１５０はコイルバネ１４２の付勢力によって径方向外側へ付勢される。このとき、ガイド壁部１６８に挿入されたガイド部１３４により、制動部材１３０のケース１２に対する回動が阻止され、制動部材１３０の制動ギア１３２とリールハブ１２２内の係合ギア１４８が強固に噛合することにより、リール１２０の不用意な回転が阻止される。
【００９５】
そして、ロック部材１５０の係合部１５６が、リールハブ１２２の上縁部と係合することにより、即ち係合部１５６のテーパー面１５６Ａを除く外側面が、リールハブ１２２の内周面を押圧し、本体部１５２の係合部１５６よりも径方向外側の端部１５２Ａが、上フランジ１２４上面と天板１４Ａ内面との間に径方向内側から挿入されて介在することにより（端部１５２Ａの厚さＤが、上フランジ１２４上面と天板１４Ａ内面との距離Ｗと略同一であることにより）、記録テープカートリッジ１０の不使用時において、リール１２０の上昇（軸方向の移動）が阻止される。
【００９６】
そして、記録テープカートリッジ１０の使用時には、制動部材１３０の上昇に伴って制動ギア１３２と係合ギア１４８との噛合が解除されるとともに、ロック部材１５０がコイルバネ１４２の付勢力に抗して径方向内側へ向かって摺動し、係合部１５６の外側面がリールハブ１２２の内周面から離隔するとともに、本体部１５２の外側端部１５２Ａが、上フランジ１２４上面と天板１４Ａ内面との間から退避する。これにより、リール１２０はケース１２内において、所定高さ上昇可能となり、回転可能とされる。
【００９７】
以上のような構成の記録テープカートリッジ１０において、そのリール１２０のリールハブ１２２内にも、上記第１実施例と同様に、アモルファス磁性ワイヤー１００が装着されている。すなわち、図１１で示すように、１周以上互いの間隔が所定値以下となるように螺旋状に巻かれた状態に、糊等の接着剤で固められて形成されたコイル状アモルファス磁性ワイヤー１００が、リールハブ１２２の内周面に略沿うように挿設されている。したがって、上記第１実施例と同様に、所定のセキュリティーエリアからの記録テープカートリッジ１０（リール１２０）の盗難や不用意な持ち出しを心理的に防止することができる。
【００９８】
なお、この第３実施例におけるリール１２０では、有底円筒状のリールハブ１２２と上フランジ１２４とが一体とされているので、リールハブ１２２内に設けたコイル状アモルファス磁性ワイヤー１００が、そのリールハブ１２２の軸方向へ抜け落ちるのを防止する抜け止め部材は、不使用時にリールハブ１２２の上縁部に係合し、リール１２０の上昇を阻止するロック部材１５０となる（より詳しくは、ロック部材１５０の一部である係合部１５６となる）。
【００９９】
よって、このコイル状アモルファス磁性ワイヤー１００の高さは、図１１で示すように、不使用時にロック部材１５０の係合部１５６に干渉せず、かつ図１２で示すように、ドライブ装置に装填されて径方向内側（リールハブ１２２内）へ退避したときのロック部材１５０に、より詳しくは、本体部１５２の径方向外側端部１５２Ａに干渉しない程度の高さとされることが望ましい。
【０１００】
また、ロック部材１５０がリールハブ１２２内へ退避しているとき、本体部１５２の径方向外側端部１５２Ａは、リールハブ１２２の内周面に僅かなクリアランスを有して配置される。したがって、記録テープカートリッジ１０がドライブ装置に装填されているときでも、そのアモルファス磁性ワイヤー１００がリールハブ１２２内から抜け落ちないように、そのロック部材１５０（本体部１５２の径方向外側端部１５２Ａ）によって抜け止めされる。
【０１０１】
次に、第４実施例について説明する。なお、第３実施例と同等の部位には同じ符号を付して詳細な説明（作用も含む）は省略する。図１３で示すように、この第４実施例では、第３実施例で説明したリール１２０において、その下フランジ１２６に形成されている円筒部（ボス部）１２７の外周面に、アモルファス磁性ワイヤー１００が巻回されている。
【０１０２】
すなわち、下フランジ１２６の内周縁部には、上方に向かって所定高さの円筒部１２７が突設されており、その円筒部１２７は、リールハブ１２２の底壁１２８の下面側で、かつリールギア１４４の径方向外側に環状に形成された所定深さの溝部１２９に嵌挿されるようになっている。
【０１０３】
つまり、溝部１２９に円筒部１２７を嵌挿した状態で、その円筒部１２７よりも径方向外側における下フランジ１２６の上面１２６Ａと、リールハブ１２２の下端面１２２Ａとが超音波溶着されることで、リール１２０が構成されるようになっている。そして、この円筒部１２７の外周面にアモルファス磁性ワイヤー１００が１周以上、望ましくは螺旋状（コイル状）に互いの間隔が所定値以下となるように巻かれている。
【０１０４】
したがって、下フランジ１２６をリールハブ１２２に超音波溶着したときには、その円筒部１２７の外周面と溝部１２９の内周面との間で、アモルファス磁性ワイヤー１００が狭持され、これによって、そのアモルファス磁性ワイヤー１００がリール１２０（記録テープカートリッジ１０）に取り付けられる。よって、この場合も、上記第１実施例と同様に、所定のセキュリティーエリアからの記録テープカートリッジ１０（リール１２０）の盗難や不用意な持ち出しを心理的に防止することができる。
【０１０５】
しかも、この第４実施例の場合は、記録テープカートリッジ１０（ケース１２）を分解してリール１２０を取り出しても、アモルファス磁性ワイヤー１００を視認できない構成になっている。したがって、従来技術のセキュリティータグ等のように、ケース１２内に配置される（視認できる）構成に比べて、そのセキュリティー機能が不正に除去されるおそれはなく、重要なデータが記録されている記録テープＴを備えたリール１２０の盗難を確実に防止することができる。
【０１０６】
なお、この第４実施例においても、アモルファス磁性ワイヤー１００は、円筒部１２７の外周面に直接巻き付けられているため、上記第１実施例で使用した糊等の接着剤や筒状部材等が不要となるメリットがある。また、このアモルファス磁性ワイヤー１００は、円筒部１２７の外周面と溝部１２９の内周面との間で狭持されて抜け落ち防止とされているため、上記第１実施例のような抜け止め部材も不要となるメリットがある。つまり、この第４実施例の構成は、上記第２実施例と同様に、第１実施例の構成よりも製造コストが低減されるメリットがある。
【０１０７】
次に、第５実施例について説明する。なお、第１実施例〜第４実施例と同等の作用については、適宜その説明を省略する。図１４で示すように、この第５実施例のリール１１０は、有底円筒状のリールハブ１１２と、リールハブ１１２の上端部に径方向外側へ延在するように一体に設けられた上フランジ１１４と、リールハブ１１２の下端部に超音波溶着によって取り付けられた円板状の下フランジ１１６と、を有している。
【０１０８】
リールハブ１１２の底壁（底部）１１８の中央部には、円形状に貫通された孔部１１９が形成されており、その孔部１１９よりも径方向外側における底壁１１８の上面には、係合ギア１０８が環状に形成されている。また、下フランジ１１６の中央部には、制動部材（図示省略）によるリール１１０の回転ロック状態を解除する解除部材（図示省略）が上下動可能に嵌入される円筒部（ボス部）１１７が、上方に向かって所定高さで突設されており、下フランジ１１６の下面には、リールギア１０４が環状に形成されている。そして、そのリールギア１０４の径方向内側には、リールプレート１０６が固着されている。
【０１０９】
このような構成のリール１１０は、底壁１１８に形成された孔部１１９に円筒部１１７が嵌挿され、その円筒部１１７よりも径方向外側で、かつリールプレート１０６の外周縁部１０６Ａよりも径方向内側における下フランジ１１６の上面１１６Ａと、係合ギア１０８直下の底壁１１８の下面１１８Ａとが超音波溶着されることで組み立てられる。そして、その円筒部１１７の外周面にアモルファス磁性ワイヤー１００が１周以上、望ましくは螺旋状（コイル状）に互いの間隔が所定値以下となるように巻かれている。
【０１１０】
したがって、下フランジ１１６をリールハブ１１２に超音波溶着したときには、その円筒部１１７の外周面と孔部１１９を構成する底壁１１８の内周面との間で、アモルファス磁性ワイヤー１００の一部が狭持され、これによって、そのアモルファス磁性ワイヤー１００がリール１１０（記録テープカートリッジ１０）に取り付けられる。よって、この場合も、上記第１実施例と同様に、所定のセキュリティーエリアからの記録テープカートリッジ１０（リール１１０）の盗難や不用意な持ち出しを心理的に防止することができる。
【０１１１】
なお、この第５実施例においても、アモルファス磁性ワイヤー１００は、円筒部１１７の外周面に直接巻き付けられているため、上記第１実施例で使用した糊等の接着剤や筒状部材等が不要となるメリットがある。また、このアモルファス磁性ワイヤー１００は、円筒部１１７の外周面と孔部１１９を構成する底壁１１８の内周面との間で狭持されて抜け落ち防止とされているため、上記第１実施例のような抜け止め部材も不要となるメリットがある。つまり、この第５実施例の構成も、上記第２実施例及び第４実施例と同様に、第１実施例の構成よりも製造コストが低減されるメリットがある。
【０１１２】
以上、本実施形態に係るリール２０、１１０、１２０と記録テープカートリッジ１０について説明したが、本実施形態に係るリール２０、１１０、１２０及び記録テープカートリッジ１０は、図示の各実施例に限定されるものではなく、本発明の要旨を逸脱しない範囲内において、適宜設計変更可能なものである。また、リール２０、１１０、１２０に巻回される記録テープＴは、情報の記録及び記録した情報の再生が可能な長尺テープ状の情報記録再生媒体として把握されるものであれば足り、リール２０、１１０、１２０を収容する記録テープカートリッジ１０が、如何なる記録再生方式の記録テープＴにも適用可能であることは言うまでもない。
【符号の説明】
【０１１３】
１０  記録テープカートリッジ
１２  ケース
２０  リール
２２  リールハブ（ハブ）
２４  上フランジ
２５  円筒部（鍔部／抜け止め部材）
２６  下フランジ
３０  リーダーピン
５０  ドア
８０  制動部材
９０  解除部材
１００  アモルファス磁性ワイヤー
１１０  リール
１１２  リールハブ（ハブ）
１１４  上フランジ
１１６  下フランジ
１１７  円筒部（ボス部）
１１８  底壁（底部）
１１９  孔部
１２０  リール
１２２  リールハブ（ハブ）
１２４  上フランジ
１２６  下フランジ
１２７  円筒部（ボス部）
１２８  底壁（底部）
１２９  溝部
１３０  制動部材
１５０  ロック部材（抜け止め部材）
Ｔ  記録テープ
【図１】
2010211868.tif 000003
【図２】
2010211868.tif 000004
【図３】
2010211868.tif 000005
【図４】
2010211868.tif 000006
【図５】
2010211868.tif 000007
【図６】
2010211868.tif 000008
【図７】
2010211868.tif 000009
【図８】
2010211868.tif 000010
【図９】
2010211868.tif 000011
【図１０】
2010211868.tif 000012
【図１１】
2010211868.tif 000013
【図１２】
2010211868.tif 000014
【図１３】
2010211868.tif 000015
【図１４】
2010211868.tif 000016